(57)【特許請求の範囲】
【請求項１】
取付対象面に、第１支持材を固定すると共に連結具を介して前記第１支持材と交わる方向に第２支持材を連結してなる支持材の取付構造であって、
第１支持材は、底部に長手方向に延びる長孔を有すると共に長手方向に延在する溝状空間を有する樋状部材であり、
連結具は、短辺は前記溝状空間の横幅より小さく形成され、長辺は溝状空間に係止するようにその横幅より僅かに大きく形成された上面部と、その長辺から垂れ下がる折曲部と、前記上面部に上向きに立設されたボルトとからなり、
前記第１支持材の溝状空間に連結具を遊嵌させた状態で摺動させて長手方向に調整させ、所望の位置で９０度回動させて係止でき、係止した連結具に対して第２支持材をその長手方向の所望の位置にて取付可能であることを特徴とする支持材の取付構造。
【請求項２】
取付対象面に持出部材を固定し、該持出部材を第１支持材の長孔に挿通させて固定することを特徴とする請求項１に記載の支持材の取付構造。
【請求項３】
取付対象面に、第１支持材を固定すると共に連結具を介して前記第１支持材と交わる方向に第２支持材を連結してなる支持構造の施工方法であって、
取付対象面に第１支持材を固定する第１の工程と、
前記第１支持材の溝状空間に連結具を遊嵌させた状態で摺動させて長手方向に調整させ、所望の位置で９０度回動させて係止する第２の工程と、
前記連結具に前記第２支持材をその長手方向の所望の位置にて取り付ける第３の工程と、からなることを特徴とする支持構造の施工方法。
【発明の詳細な説明】
【技術分野】
【０００１】
本発明は、複数の支持材を、例えば太陽電池パネル等の寸法サイズに応じて容易に調整して組み付けて構成される支持材の取付構造、及びその施工方法に関する。
【背景技術】
【０００２】
近年、社会的情勢及び政治的情勢が相俟って太陽エネルギー変換モジュールへの期待はますます高まっており、既設の構造物や建築物の屋根面への太陽電池パネルの取り付け要請もまた高まっている。
他方、二酸化炭素を減少させるために、屋根面を緑化して温度低下や光合成を行わせる試みも盛んに行われている。
【０００３】
新設や既設の屋根の上に太陽電池パネルを取り付ける場合には、大別して屋根材自体に太陽電池パネルを一体的に組み込む方法と、屋根面に支持架台などの取付部材を固定してその上に太陽電池パネルを取り付ける方法とが知られている。
前記屋根材自体に太陽電池パネルを一体的に組み込む方法は、屋根材を製造する技術と太陽電池パネルを製造する技術とが必要であり、様々な仕様の建物（屋根）に適用することは到底困難であった。
【０００４】
一方、屋根面に取付部材を介して太陽電池パネルを取り付ける方法としては、鋼材を桁状に組み合わせて支持架台（取付部材）とするため、使用する太陽電池パネルのサイズに応じて異なる支持架台を用いる必要があった。
【発明の概要】
【発明が解決しようとする課題】
【０００５】
しかしながら、新設や既設にかかわらず、屋根面を構築する屋根材のサイズも、前記太陽電池パネルのサイズと同様に多種に及んでいるため、その施工に際し、選定した太陽電池パネルに応じて取付部材を用いても、特定に既設屋根に対して太陽電池パネルを施工できないという不具合を生ずることもあった。例えば既設屋根の垂木等の配設間隔と、太陽電池パネルの寸法が合わないことが多かった。
【０００６】
そこで、本発明は、複数の支持材を、例えば太陽電池パネル等の寸法サイズに応じて容易に調整して組み付けて構成される支持材の取付構造、及びその施工方法を提案することを目的とする。
【課題を解決するための手段】
【０００７】
本発明は、上記に鑑み提案されたものであって、取付対象面に、第１支持材を固定すると共に連結具を介して前記第１支持材と交わる方向に第２支持材を連結してなる支持材の取付構造であって、第１支持材は、底部に長手方向に延びる長孔を有すると共に長手方向に延在する溝状空間を有する樋状部材であり、連結具は、短辺は前記溝状空間の横幅より小さく形成され、長辺は溝状空間に係止するようにその横幅より僅かに大きく形成された上面部と、その長辺から垂れ下がる折曲部と、前記上面部に上向きに立設されたボルトとからなり、前記第１支持材の溝状空間に連結具を遊嵌させた状態で摺動させて長手方向に調整させ、所望の位置で９０度回動させて係止でき、係止した連結具に対して第２支持材をその長手方向の所望の位置にて取付可能であることを特徴とする支持材の取付構造に関するものである。
【０００８】
さらに、本発明は、前記取付構造において、取付対象面に持出部材を固定し、該持出部材を第１支持材の長孔に挿通させて固定することを特徴とする支持材の取付構造をも提案する。
【０００９】
また、本発明は、取付対象面に、第１支持材を固定すると共に連結具を介して前記第１支持材と交わる方向に第２支持材を連結してなる支持構造の施工方法であって、取付対象面に第１支持材を固定する第１の工程と、前記第１支持材の溝状空間に連結具を遊嵌させた状態で摺動させて長手方向に調整させ、所望の位置で９０度回動させて係止する第２の工程と、前記連結具に前記第２支持材をその長手方向の所望の位置にて取り付ける第３の工程と、からなることを特徴とする支持構造の施工方法をも提案する。
【発明の効果】
【００１０】
本発明の支持材の取付構造は、複数の調整機構を備えているために任意の位置に第１支持材及び第２支持材を容易に配設することができ、例えば各種の太陽電池パネルに応じて容易に調整して支持させることができる。
したがって、例えば各種の寸法サイズを有する外設部材を架設するための架台の取付構造に容易に適用することができる。
また、例えば第１支持部材は流れ方向に沿う縦桟とし、第２支持部材は外設部材の桁行き方向に沿う端縁を支持する横支持材とした場合、第１支持部材を太陽電池パネルの桁行き方向の長さ寸法に応じた配設間隔で配設し、第２支持部材を太陽電池パネルの流れ方向の寸法に応じた配設間隔で配設して安定に太陽電池パネルを取り付け支持させることができ、各種の寸法サイズ（モジュールサイズ）を有する太陽電池パネルに対応させることができる。
或いは、持出部材の既設屋根への取付に仮に誤差があっても吸収することができ、この取付誤差に影響を受けずに第１支持材を取り付けることができる。そして、持出金具を軒棟方向に等間隔で固定しなくても容易に第１支持材を取り付けることができ、強度を補うために持出金具の数を増やしても対応できる。
【００１１】
また、取付対象面に持出部材を固定し、該持出部材に第１支持材を固定する場合、取付対象面の安定な箇所を選定して持出部材を固定すればよく、下地屋根の構成や寸法に影響を受けない取付構造が構築できるものとなる。この持出部材の取付に仮に誤差があっても吸収することができ、取付誤差に影響を受けずに第１支持材を取り付けることができる。そして、持出金具を軒棟方向に等間隔で固定しなくても容易に第１支持材を取り付けることができ、強度を補うために持出金具の数を増やしても対応できる。
【００１２】
さらに、本発明の支持構造の施工方法は、第１〜第３の工程の何れも容易に実施できるものであって、任意の位置に第１支持材及び第２支持材を、容易に且つ安定に支持して取り付けることができる。
【図面の簡単な説明】
【００１３】
【図１】（ａ）本発明の支持材の取付構造の一実施例（第１実施例）の要部を示す斜視図、（ｂ）第１支持材、第２支持材、及び連結具を示す斜視図、（ｃ）持出部材の分解斜視図である。
【図２】（ａ）本発明の支持材の取付構造の他の一実施例（第２実施例）の要部を示す斜視図、（ｂ）第１支持材、第２支持材、及び連結具を示す斜視図、（ｃ）持出部材の分解斜視図である。
【図３】（ａ）前記取付構造の断面図、（ｂ）前記取付構造の側断面図である。
【図４】（ａ）本発明の支持材の取付構造の他の一実施例（第３実施例）の要部を拡大して示す側断面図、（ｂ）その正断面図である。
【図５】（ａ）前記第３実施例を構成する太陽電池パネル、（ｂ）横支持材、（ｃ）固定金具、（ｄ）吊子、（ｅ）支持部材、（ｆ）持出金具、（ｇ）受金具をさらに拡大して示す斜視図、（ｈ）支持部材の２つの調整溝を示す拡大断面図である。
【図６】前記第３実施例における太陽電池パネルの取付構造を示す拡大斜視図である。
【発明を実施するための形態】
【００１４】
本発明の支持材の取付構造は、取付対象面に、第１支持材を固定すると共に連結具を介して前記第１支持材と交わる方向に第２支持材を連結してなる構成であり、取付対象面に対して第１支持材を長手方向で固定可能な第１調整機構と、第１支持材に対して連結具をその長手方向で固定可能な第２調整機構と、連結具に対して第２支持材をその長手方向で取付可能な第３調整機構とのうち少なくとも２つの調整機構を備える。
【００１５】
前記第１支持材は、取付対象面に固定されるものであって、後述する図示実施例では取付対象面が既設屋根面であり、流れ方向に沿って配される例を示したが、これに限定するものではない。その取付対象面としては、既存屋根、または既存屋根上に何らかの処理を施したもの、或いは持出部材等の外設部材を構築するための基礎となる部材を配したもの、さらに新設時の躯体（木下地、鉄骨、ＲＣ等）や下地を含み、壁面でもよい。
この第１支持材は、連結具をその長手方向で固定可能な第２調整機構を備えていることが望ましく、この場合、連結具を長手方向の任意の位置に調整するために摺動等させて第１支持材に固定することができる。この第２調整機構としては、特に具体的構成を限定するものではなく、公知のどのような構成を採用してもよい。
また、この第１支持材は、取付対象面に固定されるものであって、図示実施例のように取付対象面（既設屋根）に設置された持出部材に固定するものでもよい。
さらに、この第１支持材は、取付対象面に対して第１支持材を長手方向で固定可能な第１調整機構を備えていることが望ましく、この場合、第１支持材を長手方向の任意の位置に調整するために摺動等させて固定することができる。この第１調整機構としては、その具体的な構成を限定するものではなく、公知のどのような構成を採用してもよい。
【００１６】
前記第１支持材に固定する連結具は、後述する第２支持材と直接的に固定する構成でもよいし、別部材（連結受具）を介して連結する構成でもよく、言い換えれば、この連結具は一部材で形成されるものでも、複数部材を組み合わせてなる構成でもよい。また、例えば後述する図示実施例では、上向きにボルトが立設する構成としたが、その具体的な構成は限定するものではない。
【００１７】
前記第２支持材は、第１支持材と交わる方向に配するものであって、後述する図示実施例では第１支持材を流れ方向に沿って配し、第２支持材を桁行き方向に沿って配したが、特にこれに限定されるものではない。
この第２支持材は、連結具に対して第２支持材をその長手方向で取付可能な第３調整機構を備えていることが望ましく、この場合、第２支持材を長手方向の任意の位置に調整するために摺動等させて連結具に固定することができる。この第３調整機構としては、その具体的な構成を限定するものではなく、公知のどのような構成を採用してもよい。
【００１８】
前記第１〜第３の各調整機構としては、物理的に係合、嵌合（遊嵌）等の状態を維持しつつ長手方向に摺動（スライド）させて位置を調整することができ、所望の位置で固定する固定手段を具備するものであり、前述のように具体的構成（摺動の態様、固定手段など）を限定するものではない。
例えば後述する図示実施例では、第２調整機構として、第１支持材の長手方向に設けた溝内に連結具の一部を嵌合（遊嵌）させた状態で摺動可能とし、所望の位置にて連結具に締着具を取り付けて締め付けることにより、位置に係止すると共に連結具を固定する構成であるが、この構成に限定するものではない。
【００１９】
第１調整機構は、取付対象面に対する第１支持材の調整に関する。
第２調整機構は、第１支持材に対する連結具の調整に関する。
第３調整機構は、連結具に対する第２支持材の調整に関する。
したがって、前記第１〜第３の全ての調整機構を備えることが最も望ましいが、何れか二つを含むことにより、任意の位置に第１支持材及び第２支持材を配設することができ、各種の外設部材、特に各種の寸法サイズを有する太陽電池パネルの取り付け支持に好適に対応させることができる。
【００２０】
そして、本発明の支持材の取付構造は、以下の手順にて施工され、その後、所望の位置に外設部材を取り付けることができる。
【００２１】
第１の工程として、取付対象面に、前記第１支持材を固定する。
前述のように第１支持材に第１調整機構を具備させている場合には、長手方向の任意の位置に第１支持材を摺動等させて調整して取り付けることができる。また、前述のように取付対象面として下地屋根に持出部材を設置している場合には、この持出部材に第１支持材を固定すればよいが、この持出部材の取付に仮に誤差があっても吸収することができ、取付誤差に影響を受けずに第１支持材を取り付けることができる。
【００２２】
次に、第２の工程として、前記第１支持材に連結具を所望の位置に固定する。
前述のように第１支持材に第２調整機構を具備させている場合には、長手方向の任意の位置に連結具を摺動等させて調整して取り付けることができる。
【００２３】
続いて、第３の工程として、固定した連結具に前記第２支持材を取り付ける。
前述のように第２支持材に第３調整機構を具備させている場合には、連結具に対して第２支持材を長手方向に摺動等させて調整して取り付けることができる。
【００２４】
前記取付施工面への固定の際に説明したように、下地屋根上に持出部材を設置してもよく、この持出部材に前記第１支持材を取り付けるようにしてもよい。
この持出部材は、特にその構成を限定するものではない。なお、持出部材という名称に関し、持出金具（もちだしかなぐ）という名称が一般的であるが、金属製に限定されるものではなく、例えば硬質の樹脂成型品でもよいため、持出部材とした。
【００２５】
前記第２支持材に取り付けられる外設部材としては、太陽電池システムを後述する図示実施例にて説明するが、それに限定するものではなく、下地屋根に適用される外設部材であれば、例えば緑化構造でも、雪止め金具でもよいし、避雷針、アンテナなどでもよい。
そして、このような取付構造に取り付けられる外設部材は、前述のように前記第２支持材を任意の位置に取り付けることができるので、取付施工面の任意の位置に外設部材を取り付けることができる。
【実施例】
【００２６】
図１に示す本発明の支持材の取付構造は、取付対象面に、第１支持材２を固定すると共に連結具３を介して前記第１支持材３と交わる方向に第２支持材４を連結してなる構成であり、取付対象面に対して第１支持材３を長手方向で固定可能な第１調整機構（２１１）と、第１支持材２に対して連結具３をその長手方向で固定可能な第２調整機構（２３）と、連結具３に対して第２支持材４をその長手方向で取付可能な第３調整機構（４１１）とのうち少なくとも２つの調整機構を備える。
なお、図１は、本発明の要部である第１支持材２の第１調整機構（長孔２１１）及び第２調整機構（溝状空間２３）と第２支持材４の第３調整機構（長孔４１１）により、任意の位置に第２支持材４を取り付けられることを示す説明図である。
【００２７】
図示実施例の前記第１支持材２は、流れ方向に沿って配されるものであって、その長手方向に第２調整機構として溝状空間２３を備え、長手方向の任意の位置に連結具３を嵌合保持させた状態で摺動等させて調整することができる。
この第１支持材２は、底面２１と左右の側壁２２とからなり、前記側壁２２，２２の上端はそれぞれ内側にフランジ状（フランジ部２４）に折り曲げられ、長手方向に上方が解放する溝状空間２３が形成される長尺材である。
【００２８】
前記第１支持材２の第２調整機構である溝状空間２３を長手方向に摺動等させて調整する連結具３は、略矩形状の上面部３１と、その長辺から垂れ下がる折曲部３２と、前記上面部３１の略中央に上向きに立設されたボルト３３とからなる略駒状であって、前記上面部３１の短辺は前記第１支持材２の溝状空間２３の横幅より小さく形成され、長辺は溝状空間２３の横幅より僅かに大きく形成されている。
なお、前記上面部３１は厳密には六角形状であって、短辺状部分の端縁３４は、中央が突出する形状に成形されている。
【００２９】
前記第２調整機構は、前記第１支持材２の溝状空間２３に連結具３を遊嵌させた状態で摺動等させて調整させ、所望の位置で９０度回動させて固定するものである。なお、これらの操作は、ボルト３３を指で把持した状態で容易に行うことができる。
その際、前述のように連結具３の上面部３１は、溝状部分２３の横幅より小さく形成された短辺状部分を備えるので、この短辺状部分を溝状空間２３の幅方向に合わせて容易に摺動等させることができ、所望の位置にて連結具を９０度回動させると、溝状空間２３の側壁２２，２２に連結具３の短辺状部分の端縁３４が当接する状態で係止する。
なお、この連結具３の端縁３４の係止は、後述する締着具３ｂによる係止に比べて軽度なものでよい。
【００３０】
また、前記第１支持材２の前記底面２１には、第１調整機構として長手方向に延びる長孔２１１が形成され、この長孔２１１に取付対象面に立設した持出部材１の縦杆１３を挿通させて締着具１ｅを締め付けることにより、固定することができる。
【００３１】
前記持出部材１は、図１（ｃ）に示すように、下地屋根７に固定する第１部材１Ａと、前記第１部材１Ａの表面側の全外周を覆う第２部材１Ｂと、前記第１部材１Ａ及び前記第２部材１Ｂを連結するナット（第３部材）１ｃと防水材付きの座金１ｄとからなるものを用いた。
【００３２】
前記第１部材１Ａは、下地屋根７に防水材１２を介して固定する固定部１１と該固定部１１に立設した縦杆１３とを備える。
前記固定部１１は、ビスやアンカーボルト等の固定具１７を用いて下地屋根７に固定されるものであり、図示実施例では、その挿着孔１１１が２箇所に設けられている。
図示実施例では、前記防水材１２は、固定部１１の裏面側に配されるシート状のシール材（ゴムシート又はシリコーンシート）であり、前記縦杆１３は、ボルト材である。
【００３３】
前記第２部材１Ｂは、前記第１部材１Ａを覆う被覆部１４の外側に下地屋根７に防水材１５を介して接地させる接地部１６を周設し、前記被覆部１４には前記縦杆１３を挿通させる挿通孔１４１を設けている。
この第２部材１Ｂは、図示実施例では、平面視円形状（略ハット形状）に形成され、防水材１５は、前記第１部材１Ａに用いられた防水材１２と同様にシート状のシール材（ゴムシート又はシリコーンシート）であり、前記挿通孔１４１は、前記縦杆１３の直径より僅かに大きく形成されている。
【００３４】
前記ナット（第３部材）１ｃは、前記第１部材１Ａの前記縦杆１３に取り付けて締着することにより、前記第２部材１Ｂを下地屋根７に圧着する部材であって、前記縦杆（ボルト材）１３に螺合するナットである。
このナット１ｃは、防水材付きの座金１ｄを介して前記縦杆１３に螺合しており、このナット１ｃを締め付けることにより、前記第２部材１Ｂを下地屋根７に圧着する。
【００３５】
これらの各部材から構成される持出部材１は、複数部材を１Ａ〜１ｄを一体的に組み付けた構成であって、前記第１支持材２をナット１ｃの上部に取り付けることにより、前記第２支持材４の取り付けが容易となる。
【００３６】
この第１調整機構は、長孔２１１の長さ分だけ第１支持材２を長手方向（この場合は流れ方向）に摺動等させて調整でき、所望の位置にて締着具１ｅを締め付けて固定すればよい。
またこの持出部材１の取付に仮に誤差があっても吸収することができ、取付誤差に影響を受けずに第１支持材２を取り付けることができる。
そして、持出金具１を軒棟方向に等間隔で固定しなくても容易に第１支持材２を取り付けることができ、強度を補うために持出金具１の数を増やしても対応できる。
【００３７】
図示実施例の前記第２支持材４は、桁行き方向に沿って配される定尺材であって、その横片部４１には、第３調整機構として長手方向に延びる長孔４１１が形成され、該長孔４１１には、前記連結具３のボルト３３を挿通させるので、この連結具３に対して第２支持材４を長手方向（この場合は桁行き方向）に摺動等させて調整することができる。
この第２支持材４は、最外側に横片部４１，４１、その内側に略台状の支持部４３，４３、そして略中央には上方へ延在する塔状部４２が形成され、その長さは、太陽電池パネルの桁行き方向の寸法（長さ）と略同一に形成されている。前記支持部４３，４３は、流れ方向に隣接する太陽電池パネルの端縁を支持する部位であり、前記塔状部４２には、上方が解放する溝部４２１が形成され、該溝部４２１に上向きのボルトである接続ボルト４４の頭部が保持されている。
【００３８】
前記第３調整機構は、前記第２調整機構により取り付けた連結具３のボルト３３に対し、第２支持材４の長孔４１１を挿通させて長手方向（この場合は桁行き方向）に摺動等させて調整することができ、所望の位置で連結具３のボルト３３に締着具３ｂを取り付けて締め付けて固定する。
なお、この締着具３ｂを締め付けることにより、連結具３と第２支持材４とが固定されるが、締着具３を強固に締め付けることにより、連結具３が上方へ引っ張られるように作用し、第１支持材２のフランジ部２４の裏面に押し付けられて強固に一体化する。そのため、第１支持材２と連結具３と第２支持材４とは、所望の位置に配設することができると共に強固に連結される。
【００３９】
そして、本発明の支持材の取付構造は、以下の手順にて施工される。
【００４０】
第１の工程として、取付対象面に、前記第１支持材２を固定する。
前述のように第１支持材２に第１調整機構（＝長孔２１１）を具備させている場合には、長手方向（この場合は流れ方向）の任意の位置に第１支持材２を摺動等させて調整して取り付けることができる。
この第１調整機構は、図１（ｂ）の手前側の点線で囲った部分として示した。
なお、図示実施例では、下地屋根７に持出部材１を設置し、該持出部材１に第１支持材２を固定ナット１ｅにて固定するが、この持出部材１の構成等については後述する。
【００４１】
次に、第２の工程として、第１支持材２の前記第２調整機構により、連結具３を所望の位置に摺動等させて調整させて固定する。
前述のように、前記第１支持材２の溝状空間２３に連結具３を遊嵌させた状態で摺動等させて調整させ、所望の位置で９０度回動させて固定する。
この第２調整機構は、図１（ｂ）の奥側の点線で囲った部分として示した。
なお、摺動等させて調整するに際しては、溝状空間２３に連結具３を遊嵌させた状態で行うが、解放上部（フランジ部２４，２４間）からボルト３３を突き出させた状態で容易に所望の位置に移動させることができ、その後の回動操作についてもボルト３３の先端を指でを把持した状態で容易に実施することができた。
【００４２】
続いて、第３の工程として、移動させて固定した連結具３に対し、第２支持材４の第３調整機構により長手方向に摺動等させて調整して固定する。
前述のように、連結具３のボルト３３を、第２支持材４の連結受具５Ａの長孔５１２に
挿通させ、長手方向（この場合は桁行き方向）に摺動等させて調整することができる。
そして、この第３調整機構は、第２支持材４を所望の位置に調整した状態で締着具３ｂを締め付けて固定するが、この締着具３ｂの締め付けにより、連結具３を上方へ引っ張り上げる作用が働くため、連結具３の上面部３１が第１支持材２のフランジ部２４，２４の裏面に圧接して強固に取り付けられる。
【００４３】
このように施工される本発明の支持材の取付構造は、複数の調整機構を備えているために任意の位置に第１支持材２及び第２支持材４を容易に配設することができ、例えば各種の太陽電池パネル８に応じて容易に調整して支持させることができる。
したがって、例えば各種の寸法サイズを有する外設部材８を架設するための架台の取付構造に容易に適用することができる。
さらに、本発明の支持構造の施工方法は、第１〜第３の工程の何れも容易に実施できるものであって、任意の位置に第１支持材２及び第２支持材４を、容易に且つ安定に支持して取り付けることができる。
【００４４】
図２及び図３に示す本発明の第２実施例は、連結具（５Ａ，５Ｂ）が複数部材で構成される構成であって、第１支持材２、第１調整機構及び第２調整機構については前記第１実施例と同様であるが、第３調整機構が、複数の連結具（５Ａ，５Ｂ）を介して行われる。
また、この実施例における第２支持材４'は、第３調整機構として、前記第２連結具５Ｂに設けた係合溝５３に横片部４１の端縁を係合させた状態で第２支持材４'を摺動等させて調整し、固定金具４Ｂにて第１支持材２に固定する構成とした。
【００４５】
この第２実施例における連結具（５Ａ，５Ｂ）は、前記第１実施例における連結具３と全く同一の構成を有する第１連結具５Ａと、該第１連結具５Ａを覆うように取り付ける第２連結具５Ｂと、からなる。
【００４６】
前記第１連結具５Ａは、前記第１実施例の連結具３と全く同じ部材であり、略矩形状の上面部５５と、その長辺から垂れ下がる折曲部５６と、前記上面部５５の略中央に上向きに立設されたボルト５７とからなる略駒状であって、前記上面部５５の短辺は前記第１支持材２の溝状空間２３の横幅より小さく形成され、長辺は溝状空間２３の横幅より僅かに大きく形成されている。
なお、前記上面部５５は厳密には六角形状であって、短辺状部分の端縁５８は、中央が突出する形状に成形されている。
この第１連結具５Ａによる第１調整機構及び第１の工程は、前記第１実施例と全く同様であるから説明を省略する。
【００４７】
前記第２連結具５Ｂは、前記第２支持材４'の幅方向の長さと略等しい長さを有し、前記第１支持材２の幅方向の長さより僅かに広い幅を有する矩形状の受面部５１と、その長辺から垂れ下がる折曲部５２，５２と、前記受面部５１の短辺の一方を上方へ折り返して形成された短幅の溝状の係合部５３と、前記受面部５１の他方側に上向きに立設された固定ボルト５４とからなる構成であって、前記受面部５１の略中央には、前記第１連結具５Ａのボルト５７を挿通する孔５１１が設けられている。
この第２連結具５Ｂは、前記第１連結具５Ａを第１支持材の所望の位置に固定した後に第１連結具５Ａのボルト５７を孔５１１に挿通させて一体化してもよいし、第１連結具５Ａを溝状空間２３に遊嵌させた状態（摺動等させて位置調整する以前）で予め一体化しておき、摺動等させて位置調整してもよい。なお、この位置調整の際には、折曲部５２，５２が第１支持材２の側壁２２，２２に沿う状態で摺動等されるので、安定に調整作業を行うことができる。
そして、ボルト５７に締着具５ｃを取り付けて締め付けることにより、これらの第１連結具５Ａと第２連結具５Ｂとは強固に一体化するが、前記第１実施例において締着具３ｂにて締め付けた際と同様に第１連結具５Ａを上方へ引っ張り上げる作用が働くため、連結具５Ａの上面部５５が第１支持材２のフランジ部２４，２４の裏面に圧接して強固に取り付けられる。
【００４８】
この第２実施例では、前述のように第３調整機構は、第２連結具５Ｂに設けた係合溝５３に第２支持材４'の横片部４１の端縁４１２を係合させて摺動等させて位置調整するので、第３の工程では、前述のように固定した連結具（５Ａ，５Ｂ）を覆うように第２支持材４'を配設し、長手方向（この場合は桁行き方向）に摺動等させて調整する。そして、所望の位置に調整した状態で、第２連結具５Ｂの固定ボルト５４に、上方から固定金具４Ｂを臨ませ、その通孔４６に挿通させた状態で固着具４ｃにて固定する。
【００４９】
図３に示す外設部材８は、太陽電池パネルであって、表面側に透光材が配された太陽電池８１と、その端縁を保持すると共に裏面側に中空のスペース部分を備えるフレーム材８２，８２'（流れ方向の端縁に配するフレーム材を８２とし、桁行き方向の端縁に配するフレーム材を８２'とする）とが一体的に取り付けられた構成である。
そして、水流れ方向に隣接する太陽電池パネル８，８の端縁（フレーム材８２，８２）は、図３（ｂ）に示すように前記第２支持材４'にて支持され、桁行き方向に隣接する太陽電池パネル８，８の端縁（フレーム材８２'，８２'）は、突き合わせて接続される。
【００５０】
前述のように適正な位置に取り付けた第２支持材４'の支持部４３に、前記構成の外設部材８である太陽電池パネルの流れ方向の端縁（フレーム材８２，８２）を支持させて取り付ける。
詳しくは、前述のように第２支持材４の塔状部４２の溝部４２１には、接続ボルト４４の頭部を保持しているので、外設部材８，８を配した状態でも、第２支持材４'の塔状部４２の上端には、接続ボルト４４の雄ねじ部分が上向きに突出している。この状態で、図３（ｂ）に示すように、配設した外設部材８，８の端縁に跨るように略Ｕ字状の固定部材９Ｂを配した状態で、ナット４５を取り付けて締め付けると、ナット４５の下面が固定部材９Ｂを下方へ押さえ付け、接続ボルト４４の頭部が第２支持材４'を引き上げ、これら第２支持材４'、外設部材８，８、及び固定部材９Ｂが一体的に固定されるものとなる。この固定部材９Ｂは、図３（ａ）に示されるようにピース材でもよい。
前記固定部材９Ｂには、内側へ向かって突起状の嵌合受部が設けられているので、この嵌合受部に弾性的に嵌合する嵌合部を備える桟カバー９Ａを上方から押圧するように取り付ける。この桟カバー９Ａは、図３（ａ）に示されるように桁行き方向に沿う定尺材である。
【００５１】
また、図３に示す下地屋根７は、下地材６の上に屋根材７を段葺き状に重合させて施工した構成である。
図示実施例の下地屋根７は、木毛セメント板等の下地材６の上に防水シートを敷設し、さらにその上に、略均一厚みの屋根材７の水下側端縁を、下段の屋根材７の水上側端縁に重合させて段葺き状に葺き上げた構成であるが、他のどのような型式の屋根を採用してもよい。
【００５２】
図４〜６に示す本発明の参考例は、側方が解放する側方調整溝（＝第１調整機構）２５と上方が解放する上方調整溝２６（＝第２調整機構）とを長手方向に備える第１支持材２"を用いる構成であり、各調整溝２５，２６内には、それぞれ連結具２ｆ，３"の頭部が嵌合保持されることにより、各連結具２ｆ，３"は長手方向に摺動可能である。
【００５３】
前記第１支持材２"は、流れ方向に沿って配される縦桟であって、Ｌ字状の連結材４に沿わせる一方の側面には、側方が解放する側方調整溝２５が形成され、横支持材である第２支持材４"を支持する上面には、上方が解放する上方調整溝２６が形成される。
各調整溝２５，２６の横幅は、図５（ｈ）に示すように各連結具２ｆ，３"の頭部の頂面の対向角を結ぶ長さより小さく、且つ対向辺間の距離よりも大きく形成されているので、各連結具２ｆ，３"の頭部が各調整溝２５，２６内に嵌合保持され、しかも締め付け時に回転することなく保持されている。
また、調整溝２５，２６から、連結具２ｆ，３"の頭部を陥入可能な溝幅に対し、その開放幅は連結具２ｆ，３"の頭部より小さく、連結具２ｆ，３"の脚部分の太さより大きく形成されているので、例えば摺動時などに頭部が脱落することがない。
【００５４】
前記連結具２ｆ及び連結具３"としては、それぞれの調整溝２５，２６に嵌合保持される頭部を備え、それぞれの締着具２ｇ，３ｂ"を螺合できる先端を備えるものであり、図示実施例では、前記連結具２ｆ，３"は六角ボルトであり、該連結具２ｆ，３"の脚部分には締め付けナットである締着具２ｇ，３ｂ"を螺着した。
【００５５】
図示実施例では、図４に示す既設屋根の上に、図５（ｆ）に示す持出部材１"を設置し、該持出部材１"に図５（ｇ）に示すＬ字状の連結材２Ｅを介して前記構成の第１支持材２"が固定され、この第１支持材２"には、取付具として図５（ｂ）に示す第２支持材４"が任意の位置に固定され、該第２支持材４"に図５（ａ）に示す太陽電池パネル８を支持させた構成である。なお、図５（ｃ）に示す固定金具４Ｄは、図６に示すように上方から第２支持材４"の端縁を保持して第１支持材２"に固定する部材であり、図５（ｄ）に示す押さえ部材９Ｂは、図６に示すように上方から流れ方向に隣接する太陽電池パネル８，８の上端を押さえる部材である。
また、前記持出部材１"が設置された既設屋根は、Ｃ形鋼からなる躯体６Ａの上に、木毛セメント板等の下地材６Ｂ、防水シート６Ｃが敷設されて下地を構成し、該下地の上に断熱材６Ｄ及び金属垂木６Ｅ（固定具６ｆ）が取り付けられ、その上に外装材７"として、横葺き屋根材が施工されている。
【００５６】
前記持出部材１"は、既設屋根上に沿わせる横片状の固定部１８と、上方へ向く取付ボルトを保持する保持部１９とを備えるピース材であり、前記保持部１９に保持された取付ボルト１ｇにはＬ字状の連結材２Ｅの横片２７が取り付けられ、ナット１ｈにて締め付けられて固定されている。なお、固定部１８にはビス１７を取り付ける孔１８１が２カ所設けられている。
連結材２Ｅは、断面Ｌ字状のピース材であって、その横片２７にも縦片２８にも通孔（２７１，２８１）が形成され、縦片２８の通孔２８１に前記第１支持材２"の側方調整溝２５に保持される連結具２ｆが挿通し、第１締着具２ｃを締め付けて固定されている。
【００５７】
前記第１支持材２"に連結具３"を介して固定される第２支持材４"は、太陽電池パネル８の桁行き方向に沿う端縁を支持する横支持材（横桟）であって、桁行き方向に沿って配される定尺材である。
この第２支持材４"は、略箱状の土台部分の略中央に形成された塔状部４７の両側に、太陽電池パネル８を支持する支持部４８，４８を備え、前記塔状部４７には、上方が解放する溝部４７１が形成され、該溝部４７１に上向きボルトである接続ボルト４４の頭部が保持され、押さえ部材９Ｂ"を配設してナット４５を締め付けることにより、押さえ部材９Ｂ"が取り付けられると共に接続ボルト４４の頭部が溝部４７１に強固に係止される。
また、その側端には、上向きの係止片４９，４９が設けられ、該係止片４９，４９に、上方から固定金具４Ｄ，４Ｄを取り付け、該固定金具４Ｄに設けた通孔に前記第１支持材２"の上方調整溝２６に保持される連結具３"が挿通し、第２締着具３ｂ"を締め付けて固定されている。この構成がこの参考例における第３調整機構であり、前記上方調整溝２６（＝第２調整機構）にて任意の位置に配置させた連結具３"に対し、第２支持材４"を摺動等させて所望の位置に調整した状態で第２締着具３ｂ"を締め付けて第２支持材４"及び連結具３"を強固に固定する。
【００５８】
この実施例における既設屋根への太陽電池パネル８の取付方法を以下に示す。
まず、既設屋根の上に、前記持出部材１"を沿わせ、ビス１７にて固定する。その際、固定部１８の他端を、既設屋根の外装材７"，７"の重合部に挿入する状態で固定する。
固定した持出部材１"の保持部１９に取付ボルト１ｇを保持させ、この取付ボルト１ｇをＬ字状の連結材２Ｅの横片２７の通孔２７１に挿通させ、ナット１ｈを取り付けて締め付ける。これによって、連結材２Ｅが持出部材１"に取り付けられると共に、取付ボルト１ｇが保持部１９に強固に係止される。
なお、持出部材１"には、予め保持部１９に取付ボルト１ｇを保持させておいてもよく、さらにＬ字状の連結材２Ｅを予め固定しておいてもよい。
【００５９】
次に、第１の工程として、前記第１支持材２"の側方調整溝２５に予め保持させた連結具２ｆを所望の位置に摺動させて調整する。なお、複数の連結具２ｆを使用する場合には、必要個数の連結具２ｆを嵌合保持させておく。
【００６０】
続いて第２の工程として、前述のように固定したＬ字状の連結材２Ｅの縦片２８の通孔２８１に、前記第１の工程にて位置を調整した連結具２ｆを挿通させ、締着具２ｇを取り付けて締め付ける。
これによって、連結材２Ｅに第１支持材２"が取り付けられると共に、連結具２ｆの頭部が側方調整溝２５の所定位置に強固に係止される。
したがって、このような側方調整溝２５を用いた前記第１の工程及び第２の工程が、第１調整機構（工程）に相当する。
【００６１】
次に、第３の工程として、前記第１支持材２"の上方調整溝２６に予め保持させた連結具３"を流れ方向の所望の位置に摺動させて調整する。なお、複数の連結具３"を使用する場合には、必要個数の連結具３"を嵌合保持させておく。
この例では、取付具として第２支持材４"を用いたので、太陽電池パネル８の流れ方向の寸法が第２支持材４"の配設間隔と略等しくなるように配設されるので、それに応じて複数の連結具３"，３"の配設間隔も太陽電池パネル８の流れ方向の寸法と略等しく配設される。このように、連結具３"を第１支持材２"の長手方向（この場合は流れ方向）の所望の位置に摺動等させて調整することが、前記第２調整機構（工程）に相当する。
【００６２】
続いて第４の工程として、第２支持材４"を固定するための固定金具４Ｄの通孔に、前記第３の工程にて流れ方向の位置を調整した連結具３"を挿通させ、固定金具４Ｄ及び連結具３"に対して第２支持材４"を桁行き方向の所望の位置に摺動させて調整した後、第２締着具３ｂ"を取り付けて締め付ける。このように、連結具３"に対して第２支持材４"を長手方向（この場合は桁行き方向）の所望の位置に摺動等させて調整することが、前記第３調整機構（工程）に相当する。
これにより、第１支持材２"に第２支持材４"が固定されると共に、連結具３"の頭部が上方調整溝２６の所定位置に強固に係止される。
【００６３】
このように施工される第３実施例では、前記第１実施例及び第２実施例と同様に複数の調整機構を備えているために任意の位置に第１支持材２"及び第２支持材４"を容易に配設することができる。
また、この第３実施例では、持出部材１"にＬ字状の連結材２Ｅを介して第１支持材２"を固定しているので、その横片２７、縦片２８に設けられる通孔２７１，２８１を長孔に形成した場合には孔の長さ方向に調整することができる。
【符号の説明】
【００６４】
１，１"  持出部材
１Ａ  第１部材
１Ｂ  第２部材
１ｃ  ナット（第３部材）
１ｄ  防水材付きの座金
１ｅ  固定ナット
１ｇ  取付ボルト
１ｈ  ナット
２，２"  第１支持材
２１  底面
２１１  長孔（第１調整機構）
２２  側壁
２３  溝状空間（第２調整機構）
２４  フランジ部
２５  側方調整溝（第１調整機構）
２６  上方調整溝（第２調整機構）
２Ｅ  連結材
２ｆ  連結具
２ｇ  締着具
３，３"  連結具
３１  上面部
３２  折曲部
３３  ボルト
３４  端縁
３ｂ，３ｂ"  締着具
４，４'，４"  第２支持材
４１  横片部
４１１  長孔（第３調整機構）
４２，４７  塔状部
４３，４８  支持部
４４  接続ボルト
４９  係止片
４Ｂ  固定金具
４ｃ  固着具
４Ｄ  固定金具
５Ａ  第１連結具
５Ｂ  第２連結具
５１  受面部
５２  折曲部
５３  係合部
５４  固定ボルト
５５  上面部
５６  折曲部
５７  ボルト
５８  端縁
６  下地材
７  下地屋根（屋根材）
８  外設部材（太陽電池システム）
９Ａ  桟カバー
９Ｂ  押さえ部材
【図１】
0005532416.tif 000002
【図２】
0005532416.tif 000003
【図３】
0005532416.tif 000004
【図４】
0005532416.tif 000005
【図５】
0005532416.tif 000006
【図６】
0005532416.tif 000007